(57)【要約】【課題】内圧が上がった場合に内圧を抜くことが可能な超過圧抜きバルブを取り付けた液体用紙容器を提供すること。【解決手段】直方体で上部両側に三角形の折り畳み片（１３）が延設され側面に接着された、紙を主材とする液体用紙容器の天面（１１）又は側面（１２）に超過圧抜きバルブ（２０）が取り付けられている。天面（１１）に取り付ける場合は、バリアフィルム（３０）を介して天面の内面に配置し、側面（１２）に取り付ける場合は、折り畳み片（１３）の外面に取り付ける。【選択図】図１
2006306438.tif 000002
【特許請求の範囲】
【請求項１】
直方体で上部両側に三角形の折り畳み片が延設され側面に接着された、紙を主材料とする液体用紙容器の天面又は側面に超過圧抜きバルブが取り付けられていることを特徴とする、液体用紙容器。
【請求項２】
前記超過圧抜きバルブは、天面から折り曲げられて側面に接着された折り畳み片の外面に取り付けられていることを特徴とする、請求項１記載の液体用紙容器。
【請求項３】
前記超過圧抜きバルブは、天面の内側に液体を遮断し通気性を有するバリアフィルムを介して取り付けられていることを特徴とする、請求項１記載の液体用紙容器。
【請求項４】
前記バリアフィルムが低密度ポリエチレンフィルムであることを特徴とする、請求項３記載の液体用紙容器。
【請求項５】
前記バリアフィルムが未延伸ポリプロピレンフィルムであることを特徴とする、請求項３記載の液体用紙容器。
【発明の詳細な説明】
【技術分野】
【０００１】
本発明は、液体用紙容器に関するものであり、特には、保管中に酸素ガス等のガスが発生する液体、例えば、ヘアカラー剤が収納可能な液体用紙容器に関する。
【背景技術】
【０００２】
従来、２剤型のヘアカラー剤は、前述のように保管中に酸素ガス等のガスが発生する液体からなり、かつ、使用時に２種類の薬剤を混合して機能を発現させるため、耐内容物性等を鑑みてプラスチック成形ボトル、金属チューブ等が採用され、個々に充填してセットで流通しているのが現状である。
【０００３】
しかし、プラスチック成形ボトルや金属チューブは、廃棄処置が困難である等の問題がある。
【０００４】
そこで、廃棄処理の比較的容易な紙容器が検討されるが、紙容器にヘアカラー剤等のガスを発生する薬剤を充填すると、分解して発生する酸素ガスのために紙容器が膨張し、さらには紙容器が破裂するに至るという問題がある。
【０００５】
一方発生したガスを容器の外に逃がすための装置の一つに、超過圧抜きバルブがある。これは、圧抜き一方弁で、すなわち、容器内部から発生するガスは容器の外に放出し、しかも、外気（空気）の侵入は遮断する性質を有する。
この超過圧抜きバルブはプラスチック成形ボトルや軟包装袋に取り付けて使用されているが、紙容器への使用例はない。
【発明の開示】
【発明が解決しようとする課題】
【０００６】
本発明は、ヘアカラー剤等のガスを発生する液体を紙容器に充填することに関する以上のような問題に鑑みてなされたもので、内圧が上がった場合に圧力を抜くことが可能な超過圧抜きバルブを取り付けた液体用紙容器を提供することを課題とする。
【課題を解決するための手段】
【０００７】
本発明の請求項１の発明は、直方体で上部両側に三角形の折り畳み片が延設され側面に接着された、紙を主材とする液体用紙容器の天面又は側面に超過圧抜きバルブが取り付けられていることを特徴とする、液体用紙容器である。
【０００８】
このように請求項１記載の発明によれば、直方体で上部両側に三角形の折り畳み片が延設され側面に接着された、紙を主材とする液体用紙容器の天面又は側面に超過圧抜きバルブが取り付けられているので、充填された内容物から酸素ガスのような気体が発生しても、発生した気体は液体用紙容器の天面又は側面に取り付けられた超過圧抜きバルブを通して外界に抜けて、液体用紙容器が内圧により膨らんだり、破裂することはない。
【０００９】
また、請求項２の発明は、請求項１の発明において、前記超過圧抜きバルブは天面から折り曲げられて側面に接着された折り畳み片の外面に取り付けられいることを特徴とする、液体用紙容器である。
【００１０】
このように請求項２記載の発明によれば、超過圧抜きバルブは液体用紙容器の天面から折り曲げられて側面に接着された折り畳み片の外面に取り付けられているので、中の液体は三角形の折り畳み片が側面に折り曲げられていることによって外面と内面の間の隙間が
小さく、折り畳み片の超過圧抜きバルブを取り付けた個所まで浸透することがなく、超過圧抜きバルブと液体が触れることはない。しかし気体は外面と内面の間の隙間を通す。従って超過圧抜きバルブは正常に作用することができる。
【００１１】
また、請求項３の発明は、請求項１の発明において、前記超過圧抜きバルブは天面の内側に液体を遮断し、通気性を有するバリアフィルムを介して取り付けられていることを特徴とする、液体用紙容器である。
【００１２】
このように請求項３記載の発明によれば、天面の内側に液体を遮断し、通気性を有するバリアフィルムを介して超過圧抜きバルブが取り付けられているので、液体は超過圧抜きバルブに触れることがなく、また通気性のあるバリアフィルムを用いているのでガスは通過する。よって超過圧抜きバルブは正常に作用する。
【００１３】
また、請求項４の発明は、請求項３の発明において、前記バリアフィルムは低密度ポリエチレンフィルムであることを特徴とする、液体用紙容器である。
【００１４】
このように請求項４記載の発明によれば、バリアフィルムとして低密度ポリエチレンフィルムを用いているので、液体は完全に遮断するが気体は通すので、超過圧抜きバルブは正常に作用する。また、紙容器内面との熱接着性も良好である。
【００１５】
また、請求項５の発明は、請求項３の発明において、前記バリアフィルムは未延伸ポリプロピレンフィルムであることを特徴とする、液体用紙容器である。
【００１６】
このように請求項５記載の発明によれば、バリアフィルムとして未延伸ポリプロピレンフィルムを用いているので、液体は完全に遮断するが気体は通すので、超過圧抜きバルブは正常に作用する。また、紙容器内面との熱接着性も良好である。
【発明の効果】
【００１７】
このように本発明の液体用紙容器は、内圧が上がった場合に圧力を抜くことができる超過圧抜きバルブを、内容液に触れないように紙容器の内面に取り付けてあるので、ガスが発生しても紙容器が膨張したり破壊することがない。
【発明を実施するための最良の形態】
【００１８】
本発明を一実施形態に基づいて以下に詳細に説明する。
本発明の液体用紙容器は、例えば、図１、図２に示すように、直方体で上部両側に三角形の折り畳み片（１３）が延設され側面（１２）に接着された液体用紙容器（１０）において、天面（１１）から折り曲げられて側面（１２）に接着された折り畳み片（１３）の外面に超過圧抜きバルブ（２０）が取り付けられた構造を有する。
【００１９】
超過圧抜きバルブ（２０）は、容器内部から発生するガスは容器外に放出し、しかも、外界から容器内部への外気の侵入は遮断する性質を有するプラスチック製の圧抜き一方弁であり、例えば、Ｗｉｐｆ社製の『ＷＩＣＯＶＡＬＶＥ』が好ましく使用できる。
【００２０】
超過圧抜きバルブ（２０）の紙容器への取り付けは、紙容器の折り畳み片の上から超音波シール法等の公知の融着方法により容易に取り付けることができる。なお、折り畳み片外面のバルブ融着部分には、あらかじめ、小孔を穿設しておく必要がある。
【００２１】
図３、図４、図５は、図１、図２とは別の実施形態を示す、説明図である。すなわち、超過圧抜きバルブ（２０）を紙容器の天面の内側に融着させ、その上にさらに液体を遮断し通気性を有するバリアフィルム（３０）を被せて周囲を熱融着（３１）したものである
。
【００２２】
バリアフィルム（３０）としては、液体を遮断し通気性を有すること、紙容器との融着適性等を勘案して、厚さ１０〜１００μｍ程度、より好ましくは厚さ３０μｍ程度の低密度ポリエチレンフィルムが好適に使用できる。また、厚さ１０〜１００μｍ程度の未延伸ポリプロピレンフィルムが好適に使用できる。
【００２３】
超過圧抜きバルブ（２０）は、紙容器の天面（１１）に内側から融着されているため、内容物に気相部分と接するようになる。超過圧抜きバルブ（２０）は、液体が触れると作用しなくなるが、液体を通さないバリアフィルム（３０）によって、内容物である液体に接触しないように保持されているため、超過圧抜きバルブは正常に機能する。
【００２４】
超過圧抜きバルブ（２０）とバリアフィルム（３０）の紙容器（１０）への取り付けは、紙容器成形前に超音波シール方法等の公知の融着方法により行うことができる。
【図面の簡単な説明】
【００２５】
【図１】本発明の液体用紙容器の一実施例を示す、斜視説明図である。
【図２】図１のＡ−Ａ’線断面を模試式的に示す、説明図である。
【図３】本発明の液体用紙容器の別の実施例を示す、斜視説明図である。
【図４】図３のＢ−Ｂ’線断面を模試式的に示す、説明図である。
【図５】図３の超過圧抜きバルブ融着部分を接液面側から見た、説明図である。
【符号の説明】
【００２６】
１０‥‥液体用紙容器
１１‥‥天面
１２‥‥側面
１３‥‥折り畳み片
２０‥‥超過圧バルブ
３０‥‥バリアフィルム
３１‥‥熱融着部
Ｋ‥‥間隔
【図１】
2006306438.tif 000003
【図２】
2006306438.tif 000004
【図３】
2006306438.tif 000005
【図４】
2006306438.tif 000006
【図５】
2006306438.tif 000007